(57)【要約】紙幣等の紙葉類(５９)のための一時保留部(３０)は、２組の収納繰出部(３６、３７)を有する。一方の収納繰出部(３６)は、２枚の帯状フィルム(３８、３９)、フィルム(３８、３９)をそれぞれ保持する２個の保持ローラ(４１、４２)及びフィルム(３８、３９)を重ねて巻き取り、又は繰り出す１個の巻取ドラム(４３)を有する。同様に、他方の収納繰出部(３７)は、２枚の帯状フィルム(４６、４７)、２個の保持ローラ(４８、４９)及び１個の巻取ドラム(５１)を有する。２組の収納繰出部(３６、３７)は、協働して、紙葉類(５９)の両端部(６０)を上側のフィルム(３８、４６)と下側のフィルム(３９、４７)との間に挟んで紙葉類(５９)をドラム(４３、５１)に巻き取り、又はドラム(４３、５１)から繰り出す。皺や折り癖がある紙幣も不具合なく一時保留部(３０)に収納される。
2013061472.tif 000002
【特許請求の範囲】
【請求項１】
帯状フィルムをそれぞれ保持する２個の保持ローラと該２個の保持ローラに各々保持される帯状フィルムを重ねて巻き取る又は巻き戻す１個の巻取ドラムとが１組となって、重ねた前記帯状フィルムの間に紙葉類を挟んで該紙葉類を収納又は繰出す収納繰出部を、２組備え、  該２組の収納繰出部は、協働して、前記紙葉類の両端部の一方又は他方をそれぞれ前記帯状フィルムの間に挟んで前記紙葉類を収容又は繰出す、ように構成される、  ことを特徴とする紙葉類取扱装置一時保留部。
【請求項２】
前記１組の前記２個の保持ローラは、それぞれ前記２組目の前記２個の保持ローラの対応する保持ローラと同軸に組み込まれ、  前記１組の前記１個の巻取ドラムは、前記２組目の前記１個の巻取ドラムと同軸に組み込まれている、  ことを特徴とする請求項１記載の紙葉類取扱装置一時保留部。
【発明の詳細な説明】
【技術分野】
【０００１】  本発明は、紙葉類取扱装置一時保留部に係わり、更に詳しくは帯状フィルムに紙葉類を挟んで巻取り又は巻戻すことにより紙葉類を収納又は繰出す紙葉類取扱装置一時保留部に関する。
【背景技術】
【０００２】  従来、例えば、金融機関等で使用されているＡＴＭ(automated telling machine) などに搭載されている紙幣入出金ユニットとしての紙幣収納繰出装置がある。また、駅構内等に設置されている券売機などにも紙葉類繰出装置が搭載されている。【０００３】  それらの装置の一つの形式として、二枚の帯状フィルムの間に紙幣等の紙葉類を挟んで巻き取り又は巻き戻して、紙葉類の収納と繰出を行う紙幣収納繰出装置又は紙葉類収納繰出装置が提案されている。（例えば、特許文献１、２参照。）【０００４】  このような帯状フィルム式の紙葉類収納繰出装置は、複雑な機構を設けることなく低コストで紙葉類の収納と繰出しが可能であること、小容積で多数枚の紙葉類を巻取り繰出しが可能であることから、ＡＴＭの例えば一時保留部などにも多用されている。【０００５】  複雑な機構を設けることなく、とはいっても、上記特許文献１、２には、それぞれの図１等に見られる如く、帯状フィルムを保持する２個の保持ローラと巻取りドラムの他に、センサ、ガイドローラ、駆動係合部等の機構が一見複雑に組みつけられている。【０００６】  図３は、特許文献１、２等の従来技術に示される帯状フィルム式の紙葉類収納繰出装置の主要部の構成を分かりやすく簡略に示す斜視図である。図３は、特許文献１、２等の図に比べてセンサや駆動系の図示を省略し、保持ローラと巻取りドラムとの配置関係も異なるが、動作原理は同一である。【０００７】  図３に示すように、帯状フィルム式の紙葉類収納繰出装置１の主要部の構成は、図示を省略した筐体の内部に、手動用ノブ２を有する巻取軸３に保持される巻取ドラム４を備えている。【０００８】  尚、巻取ドラム４は、後述するように、二枚の帯状フィルムを紙幣と共に巻き取ることと、巻き戻す（繰り出す）ことの両方を行うが、ここでは便宜上「巻取ドラム」という呼称を用いる。【０００９】  巻取ドラム４には二枚の帯状フィルム５及び６の始端部がそれぞれ固定されている。二枚の帯状フィルム５及び６は、それぞれテンションローラ７と回転伝達ローラ８に掛け渡されて挟持され、巻取ドラム４に繰り込まれ、又は巻取ドラム４から繰り出される。【００１０】  テンションローラ７に掛け渡されている帯状フィルム５は、終端部をトーションスプリングやトルクリミッタを内部に備えるテープ保持ローラ９に保持されて、テープ保持ローラ９から繰り出され又はテープ保持ローラ９に繰り込まれる。【００１１】  特には図示しないが、テンションローラ７と帯状フィルム５の両端部近傍には媒体としての紙幣の通過を検知する紙幣通過検知センサが配置されている。【００１２】  また、回転伝達ローラ８に掛け渡されている帯状フィルム６は、その終端部を、トーションスプリングやトルクリミッタを内部に備えるテープ保持ローラ部１１に保持されて、テープ保持ローラ部１１から繰り出され又はテープ保持ローラ部１１に繰り込まれる。【００１３】  この紙葉類収納繰出装置１が、紙葉類を収納するときは、巻取ドラム４と回転伝達ローラ８が収納方向に回転することにより、図３に示すように、テープ保持ローラ９が矢印ａ１方向に回転して帯状フィルム５を矢印ａ２で示すように送り出す。【００１４】  これと同時に、テープ保持ローラ１１が矢印ｂ１方向に回転して帯状フィルム６を矢印ｂ２で示すように送り出す。これにより、帯状フィルム５及び６は二枚に重なって矢印ｃ１で示すように、巻取ドラム４に順次巻き取られる。【００１５】  このとき、テンションローラ７と回転伝達ローラ８との対向部に一枚ごとに送り込まれる紙葉類が二枚重ねの帯状フィルム５及び６に挟み込まれて、帯状フィルム５及び６と共に巻取ドラム４に順次巻き取られる。紙葉類収納繰出装置１が紙葉類を繰出すときは全ての動作が上記と反対になる。【００１６】  ところで、紙葉類収納繰出装置１に収納すべく、テンションローラ７と回転伝達ローラ８との対向部に一枚ごとに送り込まれる紙葉類は、財布の中に保管されていた新札や新札に近い、つまり皺や折り癖の無い、強い腰の真っ直ぐな紙幣ばかりとは限らない。【００１７】  国によっては、人が例えば服やズボンのポケット等に紙幣を裸のまま無造作に入れて持ち歩く習慣のあるところもある。このような紙幣には皺や折り癖がつきやすい。皺や折り癖の付いた紙幣が、銀行へ預金のために又は遊戯場のメダルを購入するために、該当のＡＴＭに挿入されてＡＴＭ内の紙葉類収納繰出装置１に送り込まれると問題が起き易い。【００１８】  図４は皺や折り癖の付いた紙幣がＡＴＭ内の紙葉類収納繰出装置１に送り込まれた際に発生する不具合を示す図である。図４(a)は紙葉類収納繰出装置１の上面図、同図(b)はその正面図、同図(c)はその側面図を示している。尚、図４(a),(b),(c)には図３と同一構成部分には図３と同一の番号を付与して示している。【００１９】  図４(a)は、帯状フィルム５及び６に挟まれて巻取ドラム４に巻き取られていく紙幣１２に皺や折り癖があると紙幣１２の腰が弱くなり、中央部を帯状フィルム５及び６に挟まれている紙幣１２の両端が楕円ｄ１、ｄ２で囲んで示すように垂れ曲がり、この垂れ曲った部分が巻取ドラム４の巻取軸３に衝突して変形したり後続の紙幣に不具合を引き起こす状態を示している。【００２０】  図４(b)は、テンションローラ７と回転伝達ローラ８との対向部に繰込まれた紙幣１２に皺や折り癖があると、楕円ｅ１、ｅ２で囲んで示す紙幣１２の両端部が上記同様に垂れ曲がり、この垂れ曲った部分が回転伝達ローラ８の回転軸１３に衝突して紙幣１２が斜行して巻き込まれるなどの不具合を起こす状態を示している。【００２１】  図４(c)は、先行して巻取ドラム４に巻き取られた紙幣１２ａに皺や折り癖があって上記のように紙幣の両端が垂れ曲がるような腰の弱さがあると、回転の惰性で両端にばたつきが発生し、後続の紙幣１２ｂが衝突してジャムが発生し易い状態を示している。
【先行技術文献】
【特許文献】
【００２２】
【特許文献１】特開平０８−０６７３８２号公報
【特許文献２】特開平１１−１３９６１７号公報
【発明の概要】
【発明が解決しようとする課題】
【００２３】  上述した不具合が生じる問題を解決するためには、帯状フィルムの幅を紙幣サイズよりも幅広いものにすると、紙幣端も帯状フィルムで巻き取ることが可能となるので問題は解決する。【００２４】  しかしながら、帯状フィルムの幅を紙幣サイズよりも幅広いものにすると、搬送負荷が大きくなって巻取りモータの大型化と高価格化を招くことになるだけでなく、帯状フィルムが幅広になった分だけ価格の上昇を招くという新たな課題が残されることになる。【００２５】  本発明は、上記従来の課題を解決するものであって、帯状フィルムに紙葉類を挟んで巻取り又は巻戻すことにより紙葉類を収納又は繰出す紙葉類取扱装置一時保留部において、帯状フィルムの幅を紙幣サイズよりも広げることなく、皺や折り癖がある紙幣であっても不具合なく収納する紙葉類取扱装置一時保留部を提供することを目的とする。
【課題を解決するための手段】
【００２６】  上記課題を解決するために、本発明の紙葉類取扱装置一時保留部は、帯状フィルムをそれぞれ保持する２個の保持ローラと該２個の保持ローラに各々保持される帯状フィルムを重ねて巻き取る又は巻き戻す１個の巻取ドラムとが１組となって、重ねた上記帯状フィルムの間に紙葉類を挟んで該紙葉類を収納又は繰出す収納繰出部を、２組備え、該２組の収納繰出部は、協働して、上記紙葉類の両端部の一方又は他方をそれぞれ上記帯状フィルムの間に挟んで上記紙葉類を収容又は繰出す、ように構成される。【００２７】  この紙葉類取扱装置一時保留部において、上記１組の上記２個の保持ローラは、それぞれ上記２組目の上記２個の保持ローラの対応する保持ローラと同軸に組み込まれ、上記１組の上記１個の巻取ドラムは、上記２組目の上記１個の巻取ドラムと同軸に組み込まれている、ように構成される。
【発明の効果】
【００２８】  本発明は、帯状フィルムに紙葉類を挟んで巻取り又は巻戻すことにより紙葉類を収納又は繰出す紙葉類取扱装置一時保留部において、帯状フィルムの幅を紙幣サイズよりも広げることなく、皺や折り癖がある紙幣であっても不具合なく収納する紙葉類取扱装置一時保留部を提供することが可能となる。
【図面の簡単な説明】
【００２９】
【図１】(a)は本発明の実施例１に係る帯状フィルム式の紙葉類取扱装置一時保留部を備えたＡＴＭ(automated telling machine) の断面をＡＴＭ設置装置とＡＴＭを利用する顧客と共に示す図、(b)はＡＴＭの拡大断面図である。
【図２】(a)は実施例１に係る正常券一時保留部を構成する帯状フィルム式の紙葉類取扱装置一時保留部の主要部の構成を分かりやすく簡略に示す斜視図、(b)はその正面図、(c)はその上面図である。
【図３】従来技術に示される帯状フィルム式の紙葉類収納繰出装置の主要部の構成を分かりやすく簡略に示す斜視図である。
【図４】皺や折り目の付いた紙幣がＡＴＭ内の従来の紙葉類収納繰出装置に送り込まれた際に発生する不具合を示す図であり、(a)は紙葉類収納繰出装置の上面図、(b)はその正面図、(c)はその側面図である。
【発明を実施するための形態】
【００３０】  以下、本発明の実施の形態について、図面を参照しながら詳細に説明する。
【実施例１】
【００３１】  図１(a)は、実施例１に係る紙葉類取扱装置の一時保留部を備えたＡＴＭ(automated telling machine) の断面をＡＴＭ設置装置とＡＴＭを利用する顧客と共に示す図であり、図１(b)はＡＴＭの拡大断面図である。【００３２】  図１(a)に示すように、ＡＴＭ２０は、頑丈な防護壁２１を有するＡＴＭ設置装置２２の内部に格納されている。ＡＴＭ設置装置２２の前部外壁にはシャッタ（不図示）を備えた入出金口孔２３が形成されている。この入出金口孔２３に、ＡＴＭ２０のスロット型紙葉類取扱装置２４の入出金口２５が配置されている。【００３３】  尚、図１(a)は、ＡＴＭ２０を利用する顧客２６が入出金口２５に紙幣を挿入した直後の状態を示している。ＡＴＭ２０は、図１(b)に示すように、上部モジュール２７と下部モジュール２８とで構成される。上部モジュール２７の前方に上述したスロット型紙葉類取扱装置２４が配置されている。【００３４】  スロット型紙葉類取扱装置２４の後方下部に鑑別部２９が配置されている。また、上部モジュール２７の最後部上方に正常券を受け付ける正常券一時保留部３０と、その下部に受付不可券を一次保留する不可券一時保留部３１が配置されている。【００３５】  また、下部モジュール２８は、ほぼ全体を占めるように、大型集積収容器としての４個のリサイクルカセット３２を備えている。そして後端部の狭い空間に、鑑別不合格券やリサイクルしない紙幣などを収容する３個のリジェクトボックス３３を備えている。【００３６】  尚、図１(b)に示す大小の丸は、紙幣を案内するローラ、これらローラに搬送ベルトを介して圧接する単体ローラ、または相互に圧接して紙幣を搬送するローラ対のローラを示している。また、それらのローラ間に示す太い実線又は破線で示す矢印は、紙幣搬送ベルト又は紙幣搬送経路を示している。【００３７】  また、図１(b)には、搬送経路の分岐部に設けられている切替ゲート等は図示を省略している。上記入出金口２５から挿入された紙幣（又は紙幣束）は、スロット型紙葉類取扱装置２４の搬送台３４に載置され、紙葉類繰出部３５に搬送される。【００３８】  紙葉類繰出部３５において、搬送経路ａに一枚ごと繰り出された紙幣は、鑑別部２９を通過する。鑑別部２９を通過した紙幣は、鑑別結果に基づいて、正常券であれば搬送経路ｂ、ｃと搬送されて正常券一時保留部３０に収容される。【００３９】  また、鑑別結果が受付不可券と鑑別された紙幣は、搬送経路ｂ、ｅに搬送されて不可券一時保留部４０に収容される。入出金口２５から挿入された紙幣の鑑別が全て終了したときは、不可券一時保留部４０に収容された紙幣が、空の状態で紙葉類繰出部３５に待機している搬送台３４に載置される。【００４０】  搬送台３４が入出金口２５に返送され、受付不可券が顧客２６に返却される。その後、顧客２６が正常券一時保留部３０にある正常券のみ預金するよう不図示の入力パネルから指示したときは、正常券一時保留部３０から正常券が繰り出され、搬送経路ｃ、ｆを通って再び鑑別部２９を通過する。【００４１】  その鑑別で、例えば千円又は１万円様なのリサイクル率が高い紙幣と鑑別された紙幣は、搬送経路ｇ、ｈを経由して、所定のリサイクルカセット３２に収容される。また、リサイクル率の低い���例えば、二千円、五千円）金種と鑑別された紙幣や、及び後刻銀行側で交換が必要な汚れ等の不良紙幣と鑑別された紙幣は、搬送経路ｇ、ｉを経由して、所定のリジェクトボックス３３に収容される。【００４２】  なお、本願発明は正常券一時保留部３０を構成する帯状フィルム式の紙葉類取扱装置一時保留部に関するものであり、他のハード上の構成要件は関係しないので、ＡＴＭ２０本体の詳細構成についての説明は以上をもって他は省略する。【００４３】  図２(a)は、上記正常券一時保留部３０を構成する帯状フィルム式の紙葉類取扱装置一時保留部（以下、単に一時保留部３０という）の主要部の構成を分かりやすく簡略に示す斜視図であり、同図(b)はその正面図、同図(c)はその上面図である。尚、図２(a),(b),(c)には、装置筐体、装置フレーム、センサ、駆動系等の図示を省略している。【００４４】  図２(a),(b),(c)に示す一時保留部３０の主要部の構成は、図示を省略した筐体の内部に、２組の収納繰出部３６及び３７を備えている。【００４５】  一方の１組を構成する収納繰出部３６は、二枚の帯状フィルム３８及び３９、２個の保持ローラ４１及び４２、１個の巻取ドラム４３、並びに、互いに対向して配置されたテンションローラ４４及び回転伝達ローラ４５を備えている。【００４６】  二枚の帯状フィルム３８及び３９の始端部は巻取ドラム４３にそれぞれ固定されている。一方の帯状フィルム３８はテンションローラ４４に掛け渡されて、その終端部はトーションスプリングやトルクリミッタを内部に備える保持ローラ４１に保持されている。【００４７】  他方の帯状フィルム３９は回転伝達ローラ４５に掛け渡されて、その終端部はトーションスプリングやトルクリミッタを内部に備える保持ローラ４２に保持されている。【００４８】  これにより、二枚の帯状フィルム３８及び３９は、テンションローラ４４と回転伝達ローラ４５の対向部に重ねて挟持され、巻取ドラム４４に繰り込まれ、又は巻取ドラム４４から繰り出される。【００４９】  他方の１組を構成する収納繰出部３７は、これも、二枚の帯状フィルム４６及び４７、２個の保持ローラ４８及び４９、１個の巻取ドラム５１、並びに、互いに対向して配置されたテンションローラ５２及び回転伝達ローラ５３を備えている。【００５０】  二枚の帯状フィルム４６及び４７の始端部は巻取ドラム５１にそれぞれ固定されている。一方の帯状フィルム４６はテンションローラ５３に掛け渡されて、その終端部はトーションスプリングやトルクリミッタを内部に備える保持ローラ４８に保持されている。【００５１】  他方の帯状フィルム４７は回転伝達ローラ５３に掛け渡されて、その終端部はトーションスプリングやトルクリミッタを内部に備える保持ローラ４９に保持されている。【００５２】  これにより、二枚の帯状フィルム４６及び４７は、テンションローラ５２と回転伝達ローラ５３の対向部に重ねて挟持され、巻取ドラム５１に繰り込まれ、又は巻取ドラム５１から繰り出される。【００５３】  これら２組の収納繰出部３６及び３７において、一方の１組の２個の保持ローラ４１及び４２は、それぞれ他方の１組の２個の保持ローラの対応する保持ローラ４８及び４９と、それぞれ支持軸５４及び５５を介して同軸に組み込まれている。【００５４】  また、同様に、一方の１組の１個の巻取ドラム４３は、他方の１組の１個の巻取ドラム５１と駆動軸５６を介して同軸に組み込まれている。更に、一方の１組のテンションローラ４４及び回転伝達ローラ４５は、他方の１組のテンションローラ５２及び回転伝達ローラ５３と、それぞれ支持軸５７及び駆動軸５８を介して同軸に組み込まれている。【００５５】  上記の構成により、これら２組の収納繰出部３６及び３７は、協働して、紙葉類としての紙幣５９の両端部６０の一方又は他方を、それぞれ帯状フィルム３８及び３９、又は帯状フィルム４６及び４７の間に挟んで、紙幣５９を収容又は繰出すように構成される。なお、帯状フィルム３８と３９の設置間隔は巻き取る紙葉類の両端部近傍となるように設置されることが望ましい。また、両端部が各々の帯状フィルムの幅内となるように設置しても良い。【００５６】  このように、本発明の実施例における一時保留部３０においては、帯状フィルム式の２組の収納繰出部３６及び３７によって協働して、紙葉類の両端を保持して端部の皺や折れ癖による垂れ下がりや折れを矯正しながら紙葉類を巻き取ることができる。【００５７】  したがって、紙葉類の皺や折れ癖による垂れ下がりや折れが原因となる紙葉類と部材間の衝突や紙葉類同士の衝突を防止することが可能となる。また、上下で１組となる帯状フィルムを、幅の狭い帯状フィルムを用い２組として使用するので、紙幣幅よりも広いフィルムを用いる場合に比較して、搬送負荷が軽減され、フィルムのコストも同等以下に抑止することができる。
【産業上の利用可能性】
【００５８】  本発明は、帯状フィルムに紙葉類を挟んで巻取り又は巻戻すことにより紙葉類を収納又は繰出す紙葉類収納繰出装置に利用することができる。
【符号の説明】
【００５９】    １  紙葉類収納繰出装置    ２  手動用ノブ    ３  巻取軸    ４  巻取ドラム    ５、６  帯状フィルム    ７  テンションローラ    ８  回転伝達ローラ    ９、１１  テープ保持ローラ  １２  紙幣      １２ａ  先行の紙幣      １２ｂ  後続の紙幣  １３  回転軸  ２０  ＡＴＭ(automated telling machine)  ２１  防護壁  ２２  ＡＴＭ設置装置  ２３  入出金口孔  ２４  スロット型紙葉類取扱装置（装置本体）  ２５  入出金口  ２６  顧客  ２７  上部モジュール  ２８  下部モジュール  ２９  鑑別部  ３０  正常券一時保留部（紙葉類収納繰出装置）  ３１  不可券一時保留部  ３２  リサイクルカセット  ３３  リジェクトボックス  ３４  搬送台  ３５  紙葉類繰出部  ３６、３７  収納繰出部  ３８、３９  帯状フィルム  ４１、４２  保持ローラ  ４０  不可券一時保留部  ４３  巻取ドラム  ４４  テンションローラ  ４５  回転伝達ローラ  ４６、４７  帯状フィルム  ４８、４９  保持ローラ  ５１  巻取ドラム  ５２  テンションローラ  ５３  回転伝達ローラ  ５４、５５  支持軸  ５６  駆動軸  ５７  支持軸  ５８  駆動軸  ５９  紙幣  ６０  両端部
【図１】
2013061472.tif 000003
【図２】
2013061472.tif 000004
【図３】
2013061472.tif 000005
【図４】
2013061472.tif 000006
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
帯状フィルムをそれぞれ保持する２個の保持ローラと、該２個の保持ローラに各々保持される帯状フィルムを重ねて巻き取る又は巻き戻す１個の巻取ドラムと、一方の前記帯状フィルムが掛け渡された１個のテンションローラと、他方の前記帯状フィルムが掛け渡され前記テンションローラに対向して配置された１個の回転伝達ローラとが１組となって、重ねた前記帯状フィルムの間に紙葉類を挟んで該紙葉類を収納又は繰出す収納繰出部を、２組備え、
前記保持ローラ、前記テンションローラ、及び前記回転伝達ローラは、前記巻取ドラムより前記紙葉類の収納繰出口側に配置され、
前記２組の収納繰出部は、協働して、前記紙葉類の両端部の一方又は他方をそれぞれ前記帯状フィルムの間に挟んで前記紙葉類を収容又は繰出す、ように構成される、
ことを特徴とする紙葉類取扱装置一時保留部。
【請求項２】
前記１組の前記２個の保持ローラは、それぞれ前記２組目の前記２個の保持ローラの対応する保持ローラと同軸に組み込まれ、
前記１組の前記１個の巻取ドラムは、前記２組目の前記１個の巻取ドラムと同軸に組み込まれている、
ことを特徴とする請求項１記載の紙葉類取扱装置一時保留部。
【国際調査報告】
2013061472.tif 000007
2013061472.tif 000008